(57)【要約】【課題】利用者の近傍に飛来して、物品を提供したり、利用者が利用後の物品を回収する機能の両方を備える浮揚移動台を提供する。【解決手段】空中飛行機構部と、物品を載置可能な載置台と、物品の提供モードと、物品の回収モードとのいずれかのモード設定を受け付けるモード設定受付手段と、モード設定受付手段で受け付けられた前記モード設定が前記提供モードであるときには、前記載置台に載置されている物品の提供が可能であることの報知を伴って、前記空間領域内を飛行移動し、前記モード設定が前記回収モードであるときには、前記載置台に、回収する物品の載置が可能であることの報知を伴って、前記空間領域内を飛行移動するように、前記空中飛行機構部を制御する制御手段とを備える。【選択図】図１
2019202770.tif 000002
【特許請求の範囲】
【請求項１】
予め定められた空間領域内において浮揚して空中を移動するための空中飛行機構部と、
物品を載置することが可能な載置台と、
物品を提供する提供モードと、物品を回収する回収モードとのいずれかのモード設定を受け付けるモード設定受付手段と、
前記モード設定受付手段で受け付けられた前記モード設定が前記提供モードであるときには、前記載置台に載置されている物品の提供が可能であることの報知を伴って、前記空間領域内を飛行移動し、前記モード設定が前記回収モードであるときには、前記載置台に、回収する物品の載置が可能であることの報知を伴って、前記空間領域内を飛行移動するように、前記空中飛行機構部を制御する制御手段と、
を備えることを特徴とする浮揚移動台。
【請求項２】
前記報知を音声により放音する音声放音手段と、
前記提供モードと前記回収モードとのそれぞれに応じた報知音声を記憶する報知音声記憶部と、
を備え、
前記制御手段は、前記報知音声記憶部から、前記モード設定受付手段で受け付けられた前記モード設定に応じた報知音声を読み出して、前記音声放音手段を通じて前記報知のための音声を放音するようにする
ことを特徴とする請求項１に記載の浮揚移動台。
【請求項３】
前記載置台に載置されている物品の有無または多少を検知する載置量検知手段を備え、
前記制御手段は、前記モード設定受付手段で前記提供モードのモード設定を受け付けたときには、前記載置量検知手段の検知結果に基づいて、前記載置台に、提供する物品が所定個数以上、載置されていることを判別したときに、前記空中飛行機構部を制御して、前記提供する物品の提供場所に移動するように制御する
ことを特徴とする請求項１または請求項２に記載の浮揚移動台。
【請求項４】
前記載置台に載置されている物品の有無または多少を検知する載置量検知手段を備え、
前記制御手段は、前記モード設定受付手段で前記回収モードのモード設定を受け付けたときには、前記載置量検知手段の検知結果に基づいて、前記載置台に、物品が載置されていないことを判別したときに、前記空中飛行機構部を制御して、物品を回収する場所に移動するように制御する
ことを特徴とする請求項１〜請求項３のいずれかに記載の浮揚移動台。
【請求項５】
前記空間領域の情報であって、前記提供する物品の提供場所の位置情報及び前記物品を回収する場所の位置情報を含む情報を記憶する空間領域情報記憶部を備え、
前記制御手段は、前記空間領域情報記憶部に記憶されている情報に基づいて、前記空間領域の飛行移動を制御する
ことを特徴とする請求項１〜請求項４のいずれかに記載の浮揚移動台。
【請求項６】
前記空間領域情報記憶部は、前記提供する物品を前記載置台に載置する提供物品載置場所の位置情報及び前記回収した物品を収集する回収物品収集場所の位置情報を含む
ことを特徴とする請求項５に記載の浮揚移動台。
【請求項７】
前記制御手段は、前記提供モードにおいては、前記載置台に載置されていた前記提供する物品が無くなったとき、または、前記提供する物品の個数が所定個数よりも少なくなったときに、前記提供物品載置場所に移動するように、前記空中飛行機構部を制御する
ことを特徴とする請求項６に記載の浮揚移動台。
【請求項８】
前記制御手段は、前記回収モードにおいては、前記載置台に載置されている物品が有るとき、または、前記載置台に載置されている物品の個数が所定個数よりも多くなったときに、前記回収物品収集場所に移動するように、前記空中飛行機構部を制御する
ことを特徴とする請求項６または請求項７に記載の浮揚移動台。
【請求項９】
前記載置台の水平状態を保つように姿勢制御するための姿勢制御手段を備える
ことを特徴とする請求項１〜請求項８のいずれかに記載の浮揚移動台。
【請求項１０】
前記空間領域内を撮影するための１または複数個のカメラと、
前記１または複数個のカメラからの撮影画像情報から、前記提供モードまたは前記回収モードのそれぞれにおいて所定の状況が発生しているか否か判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１１】
前記空間領域内にいる人の音声を収音するための１または複数個のマイクロフォンと、
前記１または複数個のマイクロフォンから収音した音声を認識する音声認識手段と、
前記音声認識結果から、前記提供モードまたは前記回収モードのそれぞれにおいて所定の状況が発生しているか否か判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１２】
前記空間領域内にある物品の状況を計測するための１または複数個のセンサと、
前記１または複数個のセンサからの計測情報から前記所定の状況が発生しているか否かを判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１３】
前記空間領域内を撮影するための１または複数個のカメラと、
前記空間領域内にいる人の音声を収音するための１または複数個のマイクロフォンと、
前記１または複数個のマイクロフォンから収音した音声を認識する音声認識手段と、
前記１または複数個のカメラからの撮影画像情報から、及び／または前記音声認識結果から、前記提供モードまたは前記回収モードのそれぞれにおいて所定の状況が発生しているか否か判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１４】
前記空間領域内を撮影するための１または複数個のカメラと、
前記空間領域内にある物品の状況を計測するための１または複数個のセンサと、
前記１または複数個のカメラからの撮影画像情報から、及び／または前記１または複数個のセンサからの計測情報から、前記提供モードまたは前記回収モードのそれぞれにおいて所定の状況が発生しているか否か判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１５】
前記空間領域内にいる人の音声を収音するための１または複数個のマイクロフォンと、
前記１または複数個のマイクロフォンから収音した音声を認識する音声認識手段と、
前記空間領域内にある物品の状況を計測するための１または複数個のセンサと、
前記音声認識結果から、及び／または前記１または複数個のセンサからの計測情報から、前記提供モードまたは前記回収モードのそれぞれにおいて所定の状況が発生しているか否か判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１６】
前記空間領域内を撮影するための１または複数個のカメラと、
前記空間領域内にいる人の音声を収音するための１または複数個のマイクロフォンと、
前記１または複数個のマイクロフォンから収音した音声を認識する音声認識手段と、
前記空間領域内にある物品の状況を計測するための１または複数個のセンサと、
前記１または複数個のカメラからの撮影画像情報からと、前記音声認識結果からと、前記１または複数個のセンサからと、の少なくともいずれかから前記提供モードまたは前記回収モードのそれぞれにおいて所定の状況が発生しているか否か判別する判別手段と、
を備え、
前記制御手段は、前記判別手段で前記所定の状況が発生していると判別したときに、前記所定の状況が発生している場所に居る人の傍らに移動して、ホバーリングするように前記空中飛行機構部を制御する
ことを特徴とする請求項１〜請求項９のいずれかに記載の浮揚移動台。
【請求項１７】
前記１または複数個のセンサは、前記空間領域内にある物品の温度状況を計測するための温度状況計測用センサを含み、
前記判別手段は、前記温度状況計測用センサで計測された温度に基づいて、前記所定の状態が発生しているか否かを判別する
ことを特徴とする請求項１２、請求項１４、請求項１５、請求項１６のいずれかに記載の浮揚移動台。
【請求項１８】
前記判別手段で判別する前記所定の状況が発生していることには、前記空間領域内に存在する人の呼び寄せ要求を認識したか否かを含み、
前記制御手段は、前記判別手段で前記空間領域内に存在する人の呼び寄せ要求を認識したときには、前記呼び寄せ要求を発した人の傍らに移動して、ホバーリングするように前記空中飛行機構部を制御する
ことを特徴とする請求項１０〜請求項１７のいずれかに記載の浮揚移動台。
【請求項１９】
前記制御手段は、前記ホバーリングしている状態において、前記提供モードであるときには、前記載置台に載置されている物品の提供が可能であることの報知をし、前記回収モードであるときには、前記載置台に、回収する物品の載置が可能であることの報知をする
ことを特徴とする請求項１０〜請求項１８のいずれかに記載の浮揚移動台。
【請求項２０】
前記ホバーリングしているときの前記空間領域内の位置を検出する位置検出手段と、
前記ホバーリングしているときに、前記所定の状況が発生している場所に居る人の発声音声を収音する音声収音手段と、
前記音声収音手段で収音した音声が、所定の物品の提供サービス要求であるか否かを認識するための音声認識手段と、
を備え、
前記制御手段は、前記提供モードにおいて、前記音声認識手段で、前記音声収音手段で収音した音声が、前記提供サービス要求であることを認識したときに、前記音声収音手段で収音した前記提供サービス要求の音声と、前記提供サービス要求をした人の前記１または複数個のカメラで撮影させた顔画像と、前記位置検出手段で検出された前記ホバーリングしている前記空間領域内の位置とを互いに関連付けて記憶させるようにし、その後、予め定められている場所に移動するように前記空中飛行機構部を制御し、当該予め定められた場所において、前記記憶された前記提供サービス要求の音声を再生し、前記音声の再生に対応して前記載置台への物品の載置の確認後、前記記憶された位置に移動するように前記空中飛行機構部を制御し、前記記憶されている顔画像の人の傍らでホバーリングするように制御する
ことを特徴とする請求項１０〜請求項１９のいずれかに記載の浮揚移動台。
【請求項２１】
前記１または複数個のカメラからの撮影画像情報から前記ホバーリングしている位置の近傍の人からの、立ち去り許可を認識する立ち去り許可認識手段を備え、
前記立ち去り許可認識手段で、前記立ち去り許可を認識したときに、制御手段は、前記空間領域内を、障害物を避けながら所定の移動速度で移動する状態に復帰するように前記空中飛行機構部を制御する
ことを特徴とする請求項１０〜請求項２０のいずれかに記載の浮揚移動台。
【請求項２２】
前記ホバーリングする位置の近傍の人が、大人か子供かを認識する手段を備え、
前記制御手段は、前記載置台に載置されている物品が薬またはアルコール飲料である場合において、前記認識した前記近隣の人が子供であるときには、子供の手が届かない高さ位置に留まるようにホバーリングするように制御する
ことを特徴とする請求項１０〜請求項２１のいずれかに記載の浮揚移動台。
【請求項２３】
前記制御手段は、前記所定の状況が発生している場所に居る人の傍らでホバーリングすることが困難である場合には、近傍に着陸するように制御する
ことを特徴とする請求項１０〜請求項２１のいずれかに記載の浮揚移動台。
【請求項２４】
前記制御手段は、前記所定の状況が発生している場所に居る人が車椅子を利用している場合には、前記車椅子のアームの高さ位置を基準にした高さ位置でホバーリングする
ことを特徴とする請求項１０〜請求項２１のいずれかに記載の浮揚移動台。
【請求項２５】
前記ホバーリングする高さ位置を決定するための基準についての事前登録を受け付ける登録受付手段を備え、
前記制御手段は、前記登録受付手段で受け付けた前記事前登録された基準に基づいて、前記ホバーリングする高さ位置を決定する
ことを特徴とする請求項１０〜請求項２４のいずれかに記載の浮揚移動台。
【請求項２６】
前記載置台に載置された１または複数の物品の総重量を検知する総重量測定手段を備え、
前記載置量検知手段は、前記総重量測定手段で検知された前記物品の総重量が所定値を超えたときには、アラーム報知する
ことを特徴とする請求項１〜請求項２５のいずれかに記載の浮揚移動台。
【請求項２７】
前記載置台に載置されている物品が液体物の入っている物品であるか否かを判別する手段を備え、
前記制御手段は、前記載置台に載置されている物品が液体物の入っている物品であるときには、加減速が少なくなるように空中を移動するように制御する
ことを特徴とする請求項１〜請求項２６のいずれかに記載の浮揚移動台。
【請求項２８】
予め定められた空間領域内において浮揚して空中を移動するための空中飛行機構部と、物品を載置することが可能な載置台とを備える浮揚移動台が有するコンピュータを、
物品を提供する提供モードと、物品を回収する回収モードとのいずれかのモード設定を受け付けるモード設定受付手段
前記モード設定受付手段で受け付けられた前記モード設定が前記提供モードであるときには、前記載置台に載置されている物品の提供が可能であることの報知を伴って、前記空間領域内を飛行移動し、前記モード設定が前記回収モードであるときには、前記載置台に、回収する物品の載置が可能であることの報知を伴って、前記空間領域内を飛行移動するように、前記空中飛行機構部を制御する制御手段、
として機能させるための浮揚移動台用のプログラム。
【発明の詳細な説明】
【技術分野】
【０００１】
この発明は、例えば立食パーティーなどにおいて、料理や飲み物等を提供サービスしたり、空いた皿やグラス等の容器をお片付けサービスしたりするのに使用して好適な浮揚移動台に関する。
【背景技術】
【０００２】
例えばレストランやホテル等において料理や飲み物を提供する方法としては、接客係がお客様の注文を聞いて、その注文された料理や飲み物を、お客様のところに運ぶようにする方法の他に、立食パーティー等では、提供する料理や飲み物を予めテーブルに並べておき、お客様自身が、並べられた料理や飲み物を取りに行くブッフェスタイルと呼ばれる方法も知られている。
【０００３】
後者の料理や飲み物の提供方法としては、回転テーブルやベルトコンベアー方式で、料理や飲み物をお客様に展示しつつ提供することで、お客様や接客係の手間を省くことができるようにした方法も提案されている（例えば特許文献１（特開平１１−２９９６２６号公報）や特許文献２（特開２００３−１９９６５４号公報）参照）。
【先行技術文献】
【特許文献】
【０００４】
【特許文献１】特開平１１−２９９６２６号公報
【特許文献２】特開２００３−１９９６５４号公報
【発明の概要】
【発明が解決しようとする課題】
【０００５】
予め定められた所定の場所に料理や飲み物を並べるようにするブッフェスタイルの場合には、お客様は、いちいち料理や飲み物を取りに行かなければならず、手間である。また、他のお客様と懇談中の場合には、その懇談を一時中止（中断）するか、一時中止したくない場合には、料理や飲み物を取りに行くのを諦めることもあった。また、料理や飲み物を並べる場所を設定する必要があり、その場所の分だけ、お客様が利用できるスペースが狭くなるという問題もある。
【０００６】
特許文献１や特許文献２のように、料理や飲み物を回転テーブルやベルトコンベアー方式で提供するようにする場合には、お客様は、いちいち料理や飲み物を取りに行く必要がないので、便利となる。しかし、回転テーブルやベルトコンベアーなどの設置位置が必要であって、その場所の分だけ、お客様が利用できるスペースが狭くなると共に、それら回転テーブルやベルトコンベアーなどの特殊な提供装置を必要とするという問題がある。また、自分がほしいものが回転テーブルやベルトコンベアーで運ばれて来るまで待つ必要がある。
【０００７】
以上のような問題は、料理や飲み物などの物品に限られるものではなく、種々の物品を展示して販売するような環境においても同様である。
【０００８】
この発明は、以上の点に鑑み、物品を並べたり、展示したりするための別途のスペースを設ける必要はなく、また、人が、予め定められた所定の場所まで自分で物品を取りに行く必要が無いようにすることができる浮揚移動台を提供することを目的とする。
【課題を解決するための手段】
【０００９】
上記の課題を解決するために、請求項１の発明は、
予め定められた空間領域内において浮揚して空中を移動すると共に、空中においてホバーリングするための空中飛行機構部と、
物品を載置することが可能な載置台と、
物品を提供する提供モードと、物品を回収する回収モードとのいずれかのモード設定を受け付けるモード設定受付手段と、
前記載置台に載置されている物品の有無または多少を検知する載置量検知手段と、
前記モード設定受付手段で受け付けられた前記モード設定と、前記載置量検知手段の検知結果に基づいて、前記空中飛行機構部を制御する制御手段と、
を備え、
前記制御手段は、
前記モード設定受付手段で前記提供モードのモード設定を受け付けたときには、前記載置量検知手段の検知結果に基づいて、前記載置台に、提供する物品が所定個数以上、載置されていることを判別したときに、前記空中飛行機構部を制御して、前記提供する物品の提供場所に移動するように制御し、
前記モード設定受付手段で前記回収モードのモード設定を受け付けたときには、前記載置量検知手段の検知結果に基づいて、前記載置台に、物品が載置されていないことを判別したときに、前記空中飛行機構部を制御して、物品を回収する場所に移動するように制御する
ことを特徴とする浮揚移動台を提供する。
【００１０】
上述の構成のこの発明の浮揚移動台は、物品を載置することが可能な載置台を備え、この載置台に例えば料理や飲み物などの物品を載置して、記憶部に記憶されている空間領域において、空中を移動することができる。
【００１１】
そして、この発明の浮揚移動台は、提供モードにおいては、載置台に例えば料理や飲み物などの物品を載せて、当該物品の被提供者に呈示しながら移動し、回収モードにおいては、例えば飲食後の容器を載置台に載置してもらうようにするので、料理や飲み物などの物品を並べておくスペースや、飲食後の皿やカップなどの物品を置くスペースは不要となる。
【発明の効果】
【００１２】
この発明による装置によれば、お客様が利用できるスペースを狭くすることなく、お客様が料理や飲み物などの物品を自分で取りに行く必要が無いようにすることができる浮揚移動台を提供することができる。また、お客様が飲食後の容器を、回収場所に置きに行く必要もない。
【図面の簡単な説明】
【００１３】
【図１】この発明による浮揚移動台の実施形態の機構的構成例を示す図である。
【図２】この発明による浮揚移動台の実施形態の駆動制御装置部の構成例を示すブロック図である。
【図３】この発明による浮揚移動台の実施形態の動作例を説明するためのフローチャートの一部を示す図である。
【図４】この発明による浮揚移動台の実施形態の動作例を説明するためのフローチャートの一部を示す図である。
【図５】この発明による浮揚移動台の実施形態の動作例を説明するためのフローチャートの一部を示す図である。
【図６】この発明による浮揚移動台の実施形態の動作例を説明するためのフローチャートの一部を示す図である。
【図７】この発明による浮揚移動台の実施形態の動作例を説明するためのフローチャートの一部を示す図である。
【図８】この発明による浮揚移動台の実施形態の動作例を説明するためのフローチャートの一部を示す図である。
【図９】この発明による浮揚移動台の実施形態の動作例を説明するために用いる図である。
【図１０】この発明による浮揚移動台の実施形態の動作例を説明するために用いる図である。
【図１１】この発明による浮揚移動台の実施形態の動作例を説明するために用いる図である。
【図１２】この発明による浮揚移動台の実施形態の動作例を説明するために用いる図である。
【図１３】この発明による浮揚移動台の実施形態の他の利用態様の一例を説明するための図である。
【発明を実施するための形態】
【００１４】
以下、この発明による浮揚移動台の実施形態を、図を参照しながら説明する。以下に説明する実施形態では、浮揚移動台は、立食パーティー会場で、料理や飲み物を提供したり、空いた容器を回収したりするために用いられる場合とされている。しかし、この発明の浮揚移動台は、この例に限られるものではないことは言うまでもない。
【００１５】
この実施形態の浮揚移動台１は、自律して空中を飛行して移動可能な飛行体の構成である。図１（Ａ）は、この実施形態の浮揚移動台１を、その上方から見た図であり、また、図１（Ｂ）は、この実施形態の浮揚移動台１を、正面側方から見た図である。
【００１６】
この実施形態の浮揚移動台１は、いわゆるクワッドコプターの構造の空中飛行機構部２と、駆動制御ユニット３とを備える。空中飛行機構部２は、駆動制御ユニット３により駆動制御される。図１に示すように、空中飛行機構部２は、駆動制御ユニット３から延びる４本のアーム４Ａ，４Ｂ，４Ｃ，４Ｄの先端に、回転翼（ローター）機構５Ａ，５Ｂ，５Ｃ，５Ｄが取り付けられて構成されている。
【００１７】
回転翼機構５Ａ，５Ｂ，５Ｃ，５Ｄは、モータ駆動部５１Ａ，５１Ｂ，５１Ｃ，５１Ｄのそれぞれにより回転翼シャフト（図示は省略）を回転駆動することにより、回転翼５２Ａ，５２Ｂ，５２Ｃ，５２Ｄを回転駆動するように構成されている。モータ駆動部５１Ａ，５１Ｂ，５１Ｃ，５１Ｄは、駆動制御ユニット３からの駆動制御信号により回転速度及び回転方向が制御される。モータ駆動部５１Ａ，５１Ｂ，５１Ｃ，５１Ｄや駆動制御ユニット３は、バッテリー（図示は省略）を回転駆動用の電源や駆動制御用の電源として用いている。後述するカメラ、マイクロフォン、各種センサ、制御部などもバッテリーから電源を供給される。バッテリーは、例えば、充電可能な二次電池が用いられる。また、太陽電池を用いてもよい。
【００１８】
この例においては、駆動制御ユニット３からの駆動制御信号によって、モータ駆動部５１Ａ，５１Ｂ，５１Ｃ，５１Ｄのそれぞれが独立に制御されることにより、飛行体である浮揚移動台１は、離陸、着陸、上昇（真上、斜め上）、下降（真下、斜め下）、右旋回、左旋回、前進、後進、右シフト、左シフトなどの各種移動動作をすることができるようにされていると共に、鉛直方向に対する傾き角などの姿勢制御及びホバーリング位置の位置制御ができるようにされている。
【００１９】
そして、この実施形態の浮揚移動台１においては、駆動制御ユニット３と一体的に、後述するカメラ、無指向性マイクロフォンや各種センサなどが取り付けられると共に、制御部を含む駆動制御装置部１０を内蔵する筐体６が形成されている。筐体６は、この例では、全体として箱型の形状に構成されている。
【００２０】
筐体６には、２個の脚部７Ａ，７Ｂが互いに対向するように取り付けられている。この例では、脚部７Ａ，７Ｂは、台形形状に成形されたパイプ部材からなり、図１（Ｂ）に示すように、着地面８において、安定して浮揚移動台１を保持するように形成されている。脚部の形状や部材はこれに限らず、種々考えられる。例えば、筐体６の四隅に４本の脚部が円柱形上に成形された木材や金属材料であってもよい。また、着地面８での移動を容易にするため、脚部に可動輪を装着してもよい。
【００２１】
そして、この例においては、図１（Ａ），（Ｂ）に示すように、駆動制御ユニット３の筐体６の上面にはカメラＣＭ１と無指向性マイクロフォンＭＣとが設けられている。また、筐体６の４側面には、図１（Ａ）及び（Ｂ）に示すように、カメラＣＭ２〜ＣＭ５がそれぞれ設けられる。さらに、筐体６の底面には、図１（Ｂ）に示すように、カメラＣＭ６が設けられる。
【００２２】
カメラＣＭ１〜ＣＭ６の光軸（撮影方向に対応）は、カメラＣＭ１〜ＣＭ６のそれぞれの取り付け面に直交する方向となり、それぞれ光軸方向を中心として所定の画角範囲が撮影可能となる。
【００２３】
そして、回転翼５２Ａ，５２Ｂ，５２Ｃ，５２Ｄの上方の、当該回転翼５２Ａ，５２Ｂ，５２Ｃ，５２Ｄの回転の邪魔にならない位置には、物品を載置する載置台９が、筐体６の上面から植立されている４本の支持脚９Ａ，９Ｂ，９Ｃ，９Ｄに固定されることにより支持されて設けられている。この載置台９は、この例では、上方が開口とされ、断面がコの字形状の籠型に構成されている。この載置台９は、籠の底面及び側面がメッシュ状に孔が形成されたものとされて、回転翼５２Ａ，５２Ｂ，５２Ｃ，５２Ｄの回転により生じる空気の流れにできるだけ影響しないようなものとされている。
【００２４】
また、図示は省略するが、載置台９に載せられる物品を照らしたりして、照明が落されて暗くなった場合や、ムーディーな照明の場合でも、物品が判別できるよう、筐体６の上面にＬＥＤ（Light  Emitting  Diode；発光ダイオード）ライトが設けられている。
【００２５】
筐体６内には、駆動制御装置部１０が設けられている。図２は、この実施形態の浮揚移動台１における駆動制御装置部１０の構成例を示すブロック図である。なお、図２ではバッテリーを省略した。
【００２６】
図２に示すように、この実施形態における駆動制御装置部１０は、マイクロコンピュータ（図２ではマイコンと省略）からなる制御部１０１に対して、システムバス１００を通じて、空中飛行駆動部１０２、ジャイロセンサ１０３、地磁気センサ１０４、重力センサ１０５、高度センサ１０６、障害物センサ１０７、重量センサ１０８、音声放音処理部１０９、移動空間メモリ１１０、現在位置検出部１１１、飛行駆動信号生成部１１２、位置姿勢制御信号生成部１１３、カメラＣＭ１〜ＣＭ６、無指向性マイクロフォン（図２では無指向性マイクと省略）ＭＣ、画像認識部１１４、音声認識部１１５、アラーム報知部１１６、オーダー音声情報記憶部１１７、予測部１１８、操作部１１９、音声メッセージ記憶部１２０、のそれぞれが接続されて構成されている。制御部１０１は、浮揚移動台１の全体を制御する主制御手段を構成する。
【００２７】
空中飛行駆動部１０２は、制御部１０１の制御に従って、空中飛行機構部２の回転翼機構５Ａ，５Ｂ，５Ｃ，５Ｄのモータ駆動部５１Ａ，５１Ｂ，５１Ｃ，５１Ｄのそれぞれに、駆動制御信号を供給する。
【００２８】
ジャイロセンサ１０３は、浮揚移動台１の飛行中における加速度変化を検出するもので、浮揚移動台１の飛行進行方向やその速度、また、姿勢を検出するために用いられる。地磁気センサ１０４は、浮揚移動台１が、東西南北のどの方位に向いているか、及び、どの方位に飛行移動しているかを検出するために用いられる。
【００２９】
重力センサ１０５は、重力方向（垂直方向）を検出するためのもので、例えば加速度センサからなり、浮揚移動台１の載置台９の底面を水平に保つようにする制御のために用いられる。
【００３０】
高度センサ１０６は、浮揚移動台１が当該時点で位置している高度を検出するためのもので、例えば気圧センサからなる。
【００３１】
障害物センサ１０７は、光や赤外線、あるいは超音波などを発して、人や壁などの障害物からの反射波を検出することで、障害物の存在を検出すると共に、光や赤外線、あるいは超音波などを発してから、反射波を受信するまでの時間や減衰量を検出して、その時間や減衰量から、検出した障害物までの距離を算出することができるものとされている。この実施形態では、障害物センサ１０７は、浮揚移動台１が、使用される空間において、障害物に対する衝突を回避して飛行するように制御されるために用いられる。
【００３２】
また、この実施形態では、この障害物センサ１０７は、後述するように浮揚移動台１が赴くべき場所の近傍に居る人（この例では立食パーティーの参加者や接客係（給仕））や、浮揚移動台１を呼んだ人（この例では立食パーティーの参加者や接客係）の傍らでホバーリングする際に、人との間に所定距離、例えば４０ｃｍ程度を保って、浮揚移動台１をホバーリング制御するようにする際にも用いられる。なお、この時には、カメラＣＭ１〜ＣＭ６のうちの人を撮影するカメラからの撮影画像情報も併せて用いられるものである。
【００３３】
重量センサ１０８は、載置台９に載せられた物品の重量を検出したり、載置台９から物品が取り上げられた後の重量変化を検出したりするためのものである。この実施形態では、載置台９に物品が載せられたときに重量センサ１０８で検出された当該物品の重量は、カメラＣＭ１で撮影された、当該載置台９に載せられた物品の載置台９の底面上の載置位置と対応付けられて記憶される。この実施形態では、後述するように、この重量センサ１０８で検出される物品の重量に応じたホバーリングの高さ位置の制御が行われる。
【００３４】
音声放音処理部１０９には、スピーカ１２１が接続されており、後述するように、制御部１０１の制御に従って、記憶されている音声メッセージや、再生された音声信号をスピーカにより音響変換して放音するようにする。
【００３５】
移動空間メモリ１１０には、浮揚移動台１が使用される室内などの移動空間に関する情報が記憶される。この実施形態の浮揚移動台１の制御部１０１のメモリには、パノラマ写真用のアプリケーションプログラム（例えばPhotosynth）が格納されており、事前に、浮揚移動台１が、使用される室内を飛行して、カメラＣＭ１〜ＣＭ６の全てあるいは一部を用いて、室内を３６０度の範囲で撮影する。そして、制御部１０１は、パノラマ写真用のアプリケーションプログラムを用いて、その撮影した撮影画像情報から室内の３Ｄ画像情報を生成し、当該生成した３Ｄ画像情報を移動空間メモリ１１０に記憶する。
【００３６】
この場合に、移動空間メモリ１１０には、使用されるパーティー会場などの室の形状、縦、横、高さなどの三次元情報も予め記憶される。さらに、梁やパイプスペース、柱など、使用される室の構造情報も予め記憶してもよい。なお、移動空間には、立食パーティー会場だけでなく、厨房や食器の洗い場から立食パーティー会場までの移動空間を含めてもよい。更に、移動空間メモリ１１０の記憶情報には、浮揚移動台１の移動空間における移動経路情報（経路誘導情報）も含むものである。
【００３７】
現在位置検出部１１１は、例えばＧＰＳ（Global  Positioning  System）受信機を備え、浮揚移動台１の現在位置の緯度、経度、高度を検出する。より正確な位置情報を得るために、携帯電話基地局からの電波や、Ｗｉ−Ｆｉ（Wireless  Fidelity（登録商標））通信のアクセスポイントからの電波を用いて現在位置を検出するようにしてもよい。また、カメラＣＭ１〜ＣＭ６の全てあるいは一部を用いて、浮揚移動台１の周囲を撮影し、その撮影した撮影画像情報と移動空間メモリ１１０に記憶された３Ｄ画像情報を比較して画像認識することで、３Ｄ画像空間における相対位置を把握し、現在位置を検出するようにしてもよい。移動後の現在位置を検出するためには、現在位置検出部１１１は、ジャイロセンサ１０３、地磁気センサ１０４、高度センサ１０６をも使用する。
【００３８】
飛行駆動信号生成部１１２は、制御部１０１の制御の下に、以下のような処理動作を実行する。
【００３９】
先ず、制御部１０１からの起動命令に基づいて空中浮揚飛行を開始するときには、飛行駆動信号生成部１１２は、移動空間メモリ１１０に記憶されている移動経路情報に従って空中移動するようにするための飛行駆動信号を生成する。この場合に、飛行駆動信号生成部１１２は、現在位置検出部１１１で検出された現在位置の位置情報と、移動空間メモリ１１０に記憶されている移動空間の情報とから、移動方向及び移動距離を計算する。
【００４０】
そして、飛行駆動信号生成部１１２は、計算した方向及び距離に基づくと共に、ジャイロセンサ１０３、地磁気センサ１０４、重力センサ１０５、高度センサ１０６、障害物センサ１０７などの情報を用い、さらに、カメラＣＭ１〜ＣＭ６からの撮影画像を参照しながら、障害物との衝突を避け、また、飛行すべきでないところを避けながら、移動するための飛行駆動信号を生成する。
【００４１】
この飛行駆動信号は、４個の回転翼機構５Ａ〜５Ｄのモータ駆動部５１Ａ〜５１Ｄのそれぞれを駆動する信号からなる。生成された飛行駆動信号は、空中飛行駆動部１０２を通じて、空中飛行機構部２のモータ駆動部５１Ａ〜５１Ｄのそれぞれに供給される。空中飛行機構部２は、この飛行駆動信号を受けて、回転翼５２Ａ〜５２Ｄのそれぞれを回転駆動して、空中飛行による移動を行う。
【００４２】
この移動中に、制御部１０１は、カメラＣＭ１〜ＣＭ６からの撮影画像を参照して、後述する画像認識を行うことで、浮揚移動台１が人（立食パーティーの参加者や接客係。以下同じ）の傍らに赴くべき状況が発生しているかどうかを判別する。ここで、浮揚移動台１が人の傍らに赴くべき状況が発生しているかどうかは、この例では、立食パーティーの参加者や接客係の近傍にある皿やグラスなどの容器が空（料理や飲み物がわずかになっている場合を含む）になっているか、立食パーティーの参加者が浮揚移動台１や接客係を呼び寄せる所作（手を上げたりするジェスチャー等）をしたり、接客係が浮揚移動台１を呼び寄せる所作（手を上げたりするジェスチャー等）をしたり、立食パーティーの参加者が浮揚移動台１や接客係を探す所作（周囲をきょろきょろ見回すジェスチャー等）をしたり、呼び寄せの音声を発したりしているか、などを判別することにより判別する。
【００４３】
なお、以下の説明においては、饒舌になるのを避けるために、「人（立食パーティーの参加者や接客係）の傍らに赴くべき状況」は、単に「赴くべき状況」と記すこととする。
【００４４】
制御部１０１が、浮揚移動台１が赴くべき状況が発生していると判別すると、制御部１０１の制御に従って、飛行駆動信号生成部１１２は、浮揚移動台１が赴くべき状況が発生している場所の近傍に居る人や、浮揚移動台１を呼び寄せる所作をした人の傍らに移動して、そこでホバーリングするようにする。この場合に、飛行駆動信号生成部１１２は、制御部１０１の制御に従って、傍らにホバーリングする人の特定の身体的部位、この例では人の下顎の位置を基準にした高さ位置において、当該人から所定距離離れた状態で、載置台９の水平状態を保ってホバーリングするようにする飛行駆動信号を生成し、空中飛行駆動部１０２を通じて、空中飛行機構部２に供給するようにする。この場合に、ホバーリングする高さ位置は、人が載置台９から料理や飲み物などの物品を取り出したり、空いている皿やグラス等を載置台９に載置したりするのが容易な高さ位置とされる。なお、ホバーリングする高さ位置の制御用の信号の生成は、後述するように、位置姿勢制御信号生成部１１３が行う。
【００４５】
そして、制御部１０１から移動開始命令や、厨房や洗い場への帰還命令が発せられると、飛行駆動信号生成部１１２は、ホバーリングを停止して、立食パーティー会場内での更なる移動を開始し、あるいは、厨房や洗い場に戻る移動をするようにする飛行駆動信号を生成し、空中飛行駆動部１０２を通じて、空中飛行機構部２に供給するようにする。
【００４６】
制御部１０１は、浮揚移動台１が傍らにホバーリングしている人からの立ち去り許可の所作（手を横に振るジェスチャー等）を検知したり、立ち去り許可の音声（「もういいよ」「行っていいよ」「離れて」等の音声）を認識したり、また、人からの何等のアクションを受けることなく、ホバーリング状態を所定時間以上継続したりしたときには、移動開始命令を発する。また、料理や飲み物の提供をしているモードで、載置台９に料理や飲み物がなくなったり、少なくなったりしたときには、制御部１０１は、厨房への帰還命令を発する。また、空の容器を回収するモードで、載置台９に載置された容器の重量が、予め定めた重量を超えたと判別したときには、制御部１０１は、洗い場への帰還命令を発する。さらに、載置台９に載置された容器が倒れるなどして、中身がこぼれてしまったときには、制御部１０１は、カメラＣＭ１の撮影画像情報からそのことを認識して、浮揚移動台１を厨房または洗い場へ帰還させるように制御する。
【００４７】
位置姿勢制御信号生成部１１３は、制御部１０１の制御の下において、ジャイロセンサ１０３、地磁気センサ１０４、重力センサ１０５、高度センサ１０６、重量センサ１０８、並びにカメラＣＭ１〜ＣＭ６の撮影画像に基づいて、浮揚移動台１の高さ位置制御及び載置台９の底面の水平状態維持制御のための信号を生成する。
【００４８】
位置姿勢制御信号生成部１１３は、浮揚移動台１の載置台９に物品が載置されていることをカメラＣＭ１〜ＣＭ５の撮像画像により検知したときに、制御部１０１の制御の下において、ホバーリングをしているときのみではなく、浮揚飛行で移動しているときにも、重力センサ１０５のセンサ出力を用いて、載置台９の底面を水平に保つようにするための姿勢制御信号を生成する。
【００４９】
そして、位置姿勢制御信号生成部１１３は、基準の高さ位置の一例として、この例では、カメラＣＭ２〜ＣＭ５のいずれかで撮影された人の顔画像の下顎の高さ位置を検出して、その高さ位置に一時的にホバーリングした後、その高さ位置から例えば２０ｃｍ下方の高さ位置において、ホバーリングするようにする位置姿勢制御信号を生成する。なお、この高さ位置は、後述するように、人による所作（ジェスチャー）や音声による命令により、調整可能とされている。
【００５０】
位置姿勢制御信号生成部１１３は、また、人による浮揚移動台１の載置台９への料理や飲み物などの物品の載置、あるいは載置台９からの料理や飲み物などの物品の取り出しの際における前述したホバーリング高さ位置の補正のための位置姿勢制御信号の生成を、制御部１０１の制御を元に行う。
【００５１】
カメラＣＭ１〜ＣＭ６のそれぞれは、動画の撮影画像情報をシステムバス１００に出力する。カメラＣＭ１〜ＣＭ６のそれぞれからシステムバス１００に送出される撮影画像情報には、いずれのカメラからの撮影画像情報であるかを識別するための識別情報が付加されている。なお、カメラＣＭ１〜ＣＭ６のそれぞれからの撮影画像情報は、動画の撮影画像情報ではなく、所定時間間隔、例えば０．５秒間隔の静止画の撮影画像情報としてもよい。
【００５２】
無指向性マイクロフォンＭＣは、立食パーティーの参加者や接客係である人が発する命令語等の音声情報を収音するためのものである。図示は省略するが、この実施形態の浮揚移動台１においては、無指向性マイクロフォンＭＣで収音された音響情報の内、人の会話音声の帯域（例えば２００Ｈｚ〜４ＫＨｚ）の音響情報のみが、バンドパスフィルターを通して、システムバス１００に送出される。
【００５３】
また、無指向性マイクロフォンＭＣで収音される、人が手をたたく音や指を鳴らす音を人が発する命令として利用することもできる。この場合、浮揚移動台１は、無指向性マイクロフォンＭＣで収音された呼び寄せ者や、後述する料理や飲み物のオーダー者の手をたたく音や指を鳴らす音に反応し、飛行移動する。なお、一般に、手をたたく音は、０〜２ＫＨｚ、指を鳴らす音は２〜４ＫＨｚに周波数パワーのピークがあるので、その帯域をバンドパスフィルターを通して、システムバス１００に送出し、手をたたく音や指を鳴らす音を認識してもよい。
【００５４】
画像認識部１１４は、カメラＣＭ１〜ＣＭ６からの撮影画像情報から認識すべき画像認識対象の画像情報を記憶する画像メモリ１１４Ｍを備えている。これにより、立食パーティーの参加者や接客係の近傍にある容器が空であるか否か、人（立食パーティーの参加者や接客係）による浮揚移動台１の呼び寄せる所作、探す所作、立ち去り許可所作等を認識するようにしている。
【００５５】
また、この実施形態では、制御部１０１は、後述するように、ホバーリング状態で、人からの料理や飲み物のオーダーを受けることができるように構成されており、当該オーダーを受けたときには、そのオーダーの発注者の顔画像を、その位置情報（移動空間における位置情報）に対応付けて、画像メモリ１１４Ｍのオーダー発注者記憶エリア（図示は省略）に登録することができるように構成されている。
【００５６】
そして、この実施形態の浮揚移動台１は、料理や飲み物をオーダー発注者に届けるために、画像メモリ１１４Ｍのオーダー発注者記憶エリアに記憶されている位置情報の場所に戻り、画像認識部１１４は、画像メモリ１１４Ｍのオーダー発注者記憶エリアに記憶されているオーダー発注者の顔画像に基づいてオーダー発注者を認識するようにする。
【００５７】
また、この実施形態では、ホバーリングしている浮揚移動台１の近傍に居る人は、その所作（ジェスチャー）により、浮揚移動台１に、「少し高さを下げろ」、「少し高さを上げろ」、「載置台９を回転させろ」、「（追従対象者を中心とした）ホバーリング位置を右に変更しろ」、「（追従対象者を中心とした）ホバーリング位置を左に変更しろ」等の制御命令を出すことができるようにしている。画像メモリ１１４Ｍには、当該制御命令記憶エリア（図示は省略）が設けられており、その制御命令記憶エリアには、前述した制御命令と、それに対応する所作（ジェスチャー）の画像との対応情報が記憶されている。
【００５８】
なお、人が浮揚移動台１を軽く触れることを、図示は省略するが、静電容量式のタッチセンサなどで検出し、人の触れる位置や圧力の方向で、上下や左右、斜め方向などを制御することができるようにしてもよい。
【００５９】
制御部１０１は、カメラＣＭ１〜ＣＭ６の撮影画像情報を監視して、画像認識部１１４において、ホバーリングしている浮揚移動台１の近傍に居る人が、画像メモリ１１４Ｍの制御命令記憶エリアに記憶されている所作と同じ所作（または近似した所作）をしたか否かを判別するようにする。そして、制御部１０１は、ホバーリングしている浮揚移動台１の近傍に居る人により、画像メモリ１１４Ｍの制御命令記憶エリアに記憶されている制御命令の所作と同じ所作（または近似した所作）がなされたと判別したときには、その所作に対応する制御命令を、画像メモリ１１４Ｍの制御命令記憶エリアから取得して、当該取得した制御命令に応じた動作を浮揚移動台１が行うように、空中飛行機構部２に制御信号を供給する。
【００６０】
また、この実施形態では、立食パーティーの参加者や接客係の発する音声により、浮揚移動台１に対して、前述したような制御命令等を認識することができるようにしている。
【００６１】
音声認識部１１５は、この立食パーティーの参加者や接客係による音声の制御命令等を認識するためのものであり、前述した制御命令と、それに対応する上記フレーズの音声情報との対応情報が記憶されている音声メモリ１１５Ｍを備えている。
【００６２】
制御部１０１は、無指向性マイクロフォンＭＣで収音した音声情報を監視して、音声認識部１１５において、立食パーティーの参加者や接客係により、音声メモリ１１５Ｍの制御命令記憶エリアに記憶されている制御命令の音声フレーズと同じフレーズ（または近似したフレーズ）が発声されたか否かを判別するようにする。そして、制御部１０１は、立食パーティーの参加者や接客係により、音声メモリ１１５Ｍの制御命令記憶エリアに記憶されている制御命令と同じ音声フレーズ（または近似したフレーズ）が発声されたと判別したときには、その音声フレーズに対応する制御命令を、音声メモリ１１５Ｍの制御命令記憶エリアから取得して、当該取得した制御命令に応じた動作を浮揚移動台１が行うように、空中飛行機構部２に制御信号を供給する。
【００６３】
この場合に、制御部１０１は、「少し高さを下げろ」という命令があったときには、例えば現在の高さ位置から、例えば２ｃｍ下げるように制御し、「少し高さを上げろ」という命令があったときには、例えば現在の高さ位置から、例えば２ｃｍ上げるように制御する。また、「載置台９を回転させろ」という命令があったときには、制御部１０１は、載置台９の水平状態を保ったまま、載置台９の中心位置を中心にして、例えば９０度〜１８０度回転させるように制御する。載置台９自身が回転する機構（図示は省略）になっている場合は、載置台９を回転させるように制御し、載置台９が回転せず、浮揚移動台１の筐体６に固定されている場合は、浮揚移動台１自身が回転などの位置制御をすることで、載置台９の位置を制御する。
【００６４】
また、「（立食パーティーの参加者や接客係を中心とした）ホバーリング位置を右に変更しろ」、「（立食パーティーの参加者や接客係を中心とした）ホバーリング位置を左に変更しろ」という命令があったときには、制御部１０１は、浮揚移動台１の立食パーティーの参加者や接客係に対する左右の位置を、現在の状態とは異なる側に変更するように制御する。音声の命令としては、その他「ちょっと来て」、「こっちだよ」、「離れて」等があってもよい。
【００６５】
アラーム報知部１１６は、浮揚移動台１の載置台９に載置される物品の重量が、浮揚移動台１でホバーリングを保持することができないほどの重量（重量オーバー）である場合に、立食パーティーの参加者や料理人、接客係に、その旨を、例えばブザー音などの音声アラームとして、図示を省略したスピーカを通じて報知する。あるいは、「重量オーバーです。」などの音声メッセージを音声アラームとしてスピーカにより放音して報知するようにしてもよい。重量オーバーであるかどうかは、重量センサ１０８により検出される重量に基づいてなされる。なお、重量オーバーになる前の少し軽い状態でも、これ以上の載置は危険である旨を音声アラームで報知してもよい。
【００６６】
また、画像メモリ１１４Ｍに、重量オーバーとなる物品の画像情報を予め登録しておき、その登録されている物品が載置台９に載置されようとしたことを、画像認識部１１４で認識されたときに、その載置前に、アラーム報知部１１６により、「重量オーバーです。」「重量オーバーの危険があります。」などの音声メッセージを音声アラームとしてスピーカにより放音して報知するようにしてもよい。
【００６７】
なお、アラーム報知部１１６は、インジケータ（図示は省略）や表示部（図示は省略）の点灯や点滅、あるいはメッセージの表示であってもよい。インジケータや表示部に複数の色をアサインし、例えば、重量に余裕があるときは「青」、重量オーバーに近づいてきたら「黄」、重量オーバーの危険があるときは「赤」というように、色を制御してもよい。
【００６８】
また、重量センサ１０８を載置台９の複数箇所に配置することなどで、重量バランスも検出することができる。重量バランスが崩れていることを検出すると、アラーム報知部１１６により、「重量バランスが崩れています。」「反対側に載せてください。」などの音声メッセージを音声アラームとしてスピーカにより放音して報知するようにしてもよい。
【００６９】
オーダー音声情報記憶部１１７は、立食パーティーの参加者により料理や飲み物のオーダーがなされたときに、そのオーダーの音声情報を、音声メモリ１１７Ｍに記憶するようにする。そして、オーダー音声情報記憶部１１７は、制御部１０１の制御に従い、浮揚移動台１が厨房に戻った時に、音声メモリ１１７Ｍに記憶されているオーダー音声情報を読み出して再生するようにする。再生されたオーダー音声情報は、音声放音処理部１０９を通じてスピーカ１２１により放音されて、立食パーティーの参加者によるオーダーが厨房に伝えられる。なお、この例の料理や飲み物のオーダー音声は、提供サービス要求の音声の例である。
【００７０】
予測部１１８は、当該浮揚移動台１の利用時におけるカメラＣＭ２〜ＣＭ５のいずれかの撮像画像情報から予測される事項に応じた制御を浮揚移動台１に対して行う。
【００７１】
すなわち、浮揚移動台１が空中にホバーリングしているときに、立食パーティーの参加者によって載置台９から物品が取り上げられたり、立食パーティーの参加者や接客係によって物品が載せられたりすることが予想されたときに、その取り上げられた物品の重量分による上昇及び載せられる物品の重量分による下降を、できるだけ少ない上昇量及び下降量で済むように制御するようにする。
【００７２】
この場合に、予測部１１８は、浮揚移動台１に載せられた物品の重量センサ１０８で計測された重量を、カメラＣＭ１〜ＣＭ６により撮影された当該物品の画像情報と共に記憶しておき、その記憶された物品と同じ物品が、浮揚移動台１から取り上げられたときには、当該物品の重量は既知であるので、浮揚移動台１は、当該物品が取り上げられても、できるだけ上昇しないように補正することが、容易にできる。
【００７３】
また、前述したように、浮揚移動台１の載置台９に空の皿やグラスなどの容器が載置されたときには、それらの容器の重量は、予め予測部１１８の記憶部に記憶しておくことで、予測部１１８は、浮揚移動台１が、できるだけ少ない下降量で済むように制御するようにする。
【００７４】
操作部１１９は、浮揚移動台１の飛行開始起動や、移動空間情報の作成及び移動空間メモリ１１０への記憶指示、その他の操作指示を使用者が入力するためのものである。さらに、この実施形態の浮揚移動台１は、料理や飲み物を立食パーティーの参加者に提供する提供モードと、空となった皿やグラスなどの容器を回収する回収モードとのいずれかのモードに選択設定可能であり、そのモードの設定操作も、この操作部１１９を通じて行われる。
【００７５】
この操作部１１９は、この例では、各モードが対応付けられた複数個のボタンからなり、その複数個のボタンのいずれかを操作することで、モードを選択設定することができる。なお、図示を省略した表示部に選択可能なモードの一覧を表示し、そのモードの一覧から選択設定することができるようにしてもよい。
【００７６】
音声メッセージ記憶部１２０は、浮揚移動台１から立食パーティーの参加者に対して放音する音声メッセージ情報を記憶している。音声メッセージ記憶部１２０には、提供モード用として、ホバーリングしたときに立食パーティーの参加者に対して放音すべき、例えば「料理や飲み物をどうぞ」などの音声メッセージが記憶される。また、回収モード用として、ホバーリングしたときに立食パーティーの参加者に対して放音すべき、例えば「空いている容器を回収します」などの音声メッセージを記憶する。
【００７７】
なお、図２において、飛行駆動信号生成部１１２、位置姿勢制御信号生成部１１３、画像認識部１１４、音声認識部１１５、アラーム報知部１１６、オーダー音声情報記憶部１１７、予測部１１８は、制御部１０１が、ソフトウエア処理機能として実現することもできる。
【００７８】
［浮揚移動台１の動作例］
次に、この実施形態の浮揚移動台１の処理動作例を、図３〜図８のフローチャート及び図９〜図１２の説明図を参照しながら説明する。なお、以下の説明においては、制御部１０１が、飛行駆動信号生成部１１２、位置姿勢制御信号生成部１１３、画像認識部１１４、音声認識部１１５、アラーム報知部１１６、オーダー音声情報記憶部１１７、予測部１１８の各部の処理機能をソフトウエア処理機能として実現した場合として説明する。
【００７９】
なお、浮揚移動台１に対しては、操作部１１９を通じて、利用開始前に、上述した提供モードと、回収モードのいずれかが設定されている。
【００８０】
制御部１０１は、開始命令を受けたか否か判別して開始命令を待ち（ステップＳ１０１）、開始命令を受けたと判別したときには、設定モードをチェックする（ステップＳ１０２）。そして、制御部１０１は、設定モードが提供モードであるか、あるいは回収モードであるかを判別し（ステップＳ１０３）、提供モードであると判別したときには、提供する料理や飲み物などの物品の載置台９への載置状況をチェックする（ステップＳ１０４）。
【００８１】
そして、制御部１０１は、カメラＣＭ１の撮像画像情報から、載置台９に所定個数以上の物品が載置されているか否か判別し（ステップＳ１０５）、載置されていないと判別したときには、「料理や飲み物を載置して下さい」などのアラームメッセージをスピーカ１２１から放音してアラーム報知をする（ステップＳ１０６）。ここで、ステップＳ１０５における所定個数以上は、１個以上でもよいが、それでは非効率であるので、少なくとも複数個、好ましくは重量オーバーにならない程度の個数以上とするのが望ましい。
【００８２】
次に、制御部１０１は、アラーム報知に対応して提供する料理や飲み物などの物品が載置台９に所定個数以上載置されたか否か判別し（ステップＳ１０７）、所定個数以上載置されていないと判別したときには、処理をステップＳ１０６に戻して、アラーム報知を継続する。ステップＳ１０７で、提供する料理や飲み物などの物品が所定個数以上載置台９に載置されたと判別したときには、制御部１０１は、アラーム報知を停止する（ステップＳ１０８）。
【００８３】
ステップＳ１０５で、提供する料理や飲み物などの物品が載置台９に載置されていると判別したとき、また、ステップＳ１０８の次には、制御部１０１は、載置台９に載置された物品の重量が、搬送可能な重量を超えている状態、すなわち、重量オーバーであるか否か判別する（図４のステップＳ１１１）。
【００８４】
ステップＳ１１１で、重量オーバーであると判別したときには、制御部１０１は、「重量オーバーです。料理や飲み物を減らして下さい」などのアラームメッセージを音声メッセージ記憶部１２０から読み出して、それをスピーカ１２１から放音してアラーム報知をする（ステップＳ１１２）。次に、制御部１０１は、アラーム報知に対応して載置台９に載置された、提供する料理や飲み物などの物品が減らされたか否か判別し（ステップＳ１１３）、減らされていないと判別したときには、処理をステップＳ１１２に戻して、アラーム報知を継続する。ステップＳ１１３で、提供する料理や飲み物などの物品が減らされた判別したときには、制御部１０１は、更に、重量オーバーであるか否か判別し、重量オーバーであれば、処理をステップＳ１１２に戻して、アラーム報知を継続し、重量オーバーでなくなったと判別したときには、アラーム報知を停止する（ステップＳ１１４）。
【００８５】
ステップＳ１１４でアラーム報知を停止した後、またはステップＳ１１１で重量オーバーでないと判別したときには、制御部１０１は、載置台９に載置されている提供される料理や飲み物の総数Ｍを記憶する（ステップＳ１１６）。そして、制御部１０１は、浮揚移動台１を、障害物を避けながら、移動空間メモリ１１０に記憶されている予め定められた経路を、所定の速度で空中移動させるように制御する（ステップＳ１１７）。
【００８６】
例えば図９に示すように、パーティー会場に複数のテーブルＴＢ１，ＴＢ２，ＴＢ３，ＴＢ４，ＴＢ５，ＴＢ６が置かれる場合には、当該立食パーティーの参加者２０１は、それぞれのテーブルを囲むように位置すると考えられる。そこで、移動空間メモリ１１０には、当該パーティー会場の空間情報と、図９において、矢印を伴う実線２０２で示すように、各テーブルＴＢ１，ＴＢ２，ＴＢ３，ＴＢ４，ＴＢ５，ＴＢ６の周囲を万遍なく巡るような移動経路が記憶される。浮揚移動台１は、この記憶されている移動経路に沿って空中浮揚移動する。ただし、例えば図９におけるテーブルＴＢ２のように、参加者が存在していない場合には、カメラＣＭ２〜ＣＭ５の撮影画像情報から判断して、図９において点線として示すように、その周囲を移動するのを止めて、テーブルＴＢ１からテーブルＴＢ３の移動経路に移るようにすることができる。もちろん、移動経路はこれに限られるものではなく、自由に設定できる。例えば、人の多いエリアを中心に移動するようにしてもよい。また、制御部１０１は、浮揚移動台１を、パーティー開始時は、会場入口周辺に待機させ、入場者をカメラＣＭ２〜ＣＭ５の撮影画像情報から画像認識し、いわゆるウェルカムドリンクの形式で、入場者に近づいて飲み物を提供するように制御してもよい。
【００８７】
そして、移動経路に沿った移動中に、制御部１０１は、カメラＣＭ２〜ＣＭ６の撮影画像情報を解析し、画像認識部１１４の機能により画像認識を行い、また、無指向性マイクロフォンＭＣで収音した音声を音声認識部１１５で音声認識を行い（ステップＳ１１８）、提供モードの浮揚移動台１が、赴くべき状況が発生しているか否か判別する（ステップＳ１１９）。
【００８８】
前述したように、ステップＳ１１９における赴くべき状況が発生しているか否かは、立食パーティーの参加者や接客係が、浮揚移動台１を呼び寄せる所作をしていることや、立食パーティーの参加者が周囲をきょろきょろ見回す所作をしていることや、立食パーティーの参加者や接客係の近傍にある皿やグラスなどの容器が空になっていたり、少なくなっていたりして、追加の料理や飲み物を要求する可能性がある状況となっているかどうかを、カメラＣＭ２〜ＣＭ６の撮影画像情報の画像認識や解析から判断する。
【００８９】
また、無指向性マイクロフォンＭＣで収音した参加者の会話、例えば「飲み物、空じゃない？」「お代わりする？」「次、何飲む？」「何か食べる？」「甘いもの（スイーツ）食べる？」という会話を音声認識し、追加の料理や飲み物を要求する可能性がある状況となっているかどうかを判断することもできる。
【００９０】
このステップＳ１１９で、赴くべき状況が発生していないと判別したときには、制御部１０１は、処理をステップＳ１１７に戻して、浮揚移動台１を、障害物を避けながら、予め定められた経路を、所定の速度で空中移動させる状態を継続するようにする。
【００９１】
ステップＳ１１９で、赴くべき状況が発生していると判別したときには、制御部１０１は、浮揚移動台１を、赴くべき状況が発生している場所の近傍に居る人あるいは呼び寄せる所作や探す所作をした人の傍らに移動させて、ホバーリングさせるようにする（図５のステップＳ１２１）。
【００９２】
例えば図１０の下方には、パーティー会場において参加者２０１Ａ，２０１Ｂが名刺交換をしている様子を示すが、浮揚移動台１の制御部１０１は、カメラＣＭ２〜ＣＭ５の撮影画像情報から、このような様子の状況は、立食パーティーの参加者の傍らに赴くべき状況ではないと判断して、空中浮揚移動を継続する。
【００９３】
そして、図１０の上方に示すように、参加者２０１Ｃが手を上げて、浮揚移動台１を呼び寄せる所作をしていることを、画像認識により認識したときには、浮揚移動台１の制御部１０１は、立食パーティーの参加者の傍らに赴くべき状況が発生していると認識し、当該参加者２０１Ｃの傍らに移動してホバーリングするようにする（図１１（Ａ）参照）。
【００９４】
そして、制御部１０１は、このホバーリング状態において、図１１（Ａ）に示すように、「飲み物や料理をどうぞ」などの物品提供を薦める音声メッセージを、音声メッセージ記憶部１２０から読み出し、それをスピーカ１２１から放音させるようにする（ステップＳ１２２）。次に、制御部１０１は、載置台９に載置されている料理や飲み物が取られたか否かを、カメラＣＭ１〜ＣＭ５の撮影画像情報に基づいて判別する（ステップＳ１２３）。
【００９５】
このステップＳ１２３で、載置台９に載置されている料理や飲み物が取られたと判別したときには、制御部１０１は、取られた物品の数ＮをカメラＣＭ１〜ＣＭ５の撮影画像情報に基づいて検知し（ステップＳ１２４）、検知した物品の数Ｎを載置台９に載置されている物品の総数Ｍから減算する演算を行って、その演算後の総数Ｍを記憶する（ステップＳ１２５）。
【００９６】
ステップＳ１２３で、載置台９に載置されている料理や飲み物が取られてはいないと判別したとき、または、ステップＳ１２５で載置台９から物品が取られた後の総数Ｍの記憶が終了した後には、制御部１０１は、立食パーティーの参加者に対して、「料理や飲み物のオーダーは、ありますか。ある場合には、オーダーと言ってから、オーダーする料理や飲み物を言って下さい」などの提供サービス要求の有無の問い合わせ、この例では、提供して欲しい物品のオーダーを問い合わせるメッセージをスピーカ１２１から放音するようにする（ステップＳ１２６）。
【００９７】
次に、制御部１０１は、このステップＳ１２６での問い合わせに対応するオーダー音声を認識したか否か判別する（ステップＳ１２７）。このステップＳ１２７でのオーダー音声を認識したか否かの判別は、この例では、「オーダー」という発声語の認識の有無により行う（図１１（Ａ）参照）。
【００９８】
ステップＳ１２７で、オーダー音声を認識してはいないと判別したときには、載置台９に載置されている物品の総数がＭ＝０、つまり載置台９に載置されている物品がなくなったか否か判別する（ステップＳ１２９）。このステップＳ１２９で、載置台９に載置されている物品の総数がＭ＝０になったと判別したときには、制御部１０１は、図１２（Ａ）に示すように、浮揚移動台１を厨房に戻すように空中移動制御する（図６のステップＳ１４１）。
【００９９】
なお、載置台９に載置されている物品がなくなったら厨房に戻るのではなく、載置台９に載置されている物品の個数が予め定められた個数より少なくなったら、厨房に戻るようにしてもよい。また、料理や飲み物をこぼすなど、トラブルが発生したときも、厨房に戻るようにしてもよい。また、料理や飲み物をこぼしたことを検知したときには、立食パーティーの参加者の邪魔にならない場所に着陸して、接客係等に回収してもらうようにしてもよい。
【０１００】
ステップＳ１２９で、載置台９に載置されている物品の総数がＭ＝０ではないと判別したときには、制御部１０１は、ホバーリングしている場所の近傍に居る人による立ち去り許可の所作や音声を検知したか否か判別し（ステップＳ１３０）、立ち去り許可の所作や音声を検知したと判別したときには、処理を図４のステップＳ１１７に戻して、定められている経路に従った空中移動を再開する。
【０１０１】
ステップＳ１３０で、立ち去り許可の所作や音声を検知しなかったと判別したときには、制御部１０１は、ホバーリングしている状態において、人による浮揚移動台１に対するアクションが何もない状態が所定時間以上継続したか否か判別する（ステップＳ１３１）。そして、ステップＳ１３１で、人による浮揚移動台１に対するアクションが何もない状態が所定時間以上継続したと判別したときには、処理を図４のステップＳ１１７に戻して、定められている経路に従った空中移動を再開し、所定時間以上は経過していないと判別したときには、処理をステップＳ１２３に戻し、このステップＳ１２３以降の処理を繰り返す。
【０１０２】
また、図１１（Ａ）に示すように、参加者２０１Ｃがオーダー音声を発したことに対応して、ステップＳ１２７で、当該オーダー音声を認識したと判別したときには、制御部１０１は、オーダー音声を発した人（図１１（Ａ）の場合は、参加者２０１Ｃ）の顔画像をカメラＣＭ２〜ＣＭ５を用いて撮影し、その顔画像の撮影画像情報を、画像メモリ１１４Ｍに、そのホバーリングしている位置の情報と対応付けて記憶すると共に、無指向性マイクロフォンＭＣで収音したオーダー音声情報を、そのホバーリングしている位置の情報と対応付けて、オーダー音声情報記憶部１１７の音声メモリ１１７Ｍに記憶する（ステップＳ１２８）。そして、このステップＳ１２８の次には、図６のステップＳ１４１に進んで、制御部１０１は、浮揚移動台１を厨房に戻すように空中移動制御する。
【０１０３】
このステップＳ１４１の次には、制御部１０１は、オーダー音声の記憶情報が存在しているか否か判別し（ステップＳ１４２）、オーダー音声の記憶情報が存在していないと判別したときには、処理を図３のステップＳ１０４に戻し、このステップＳ１０４以降の処理を繰り返す。
【０１０４】
また、ステップＳ１４２で、オーダー音声の記憶情報が存在していると判別したときには、制御部１０１は、音声メモリ１１７Ｍからオーダー音声情報を読み出して、音声放音処理部１０９に供給し、スピーカ１２１から放音するようにする（ステップＳ１４３）。
【０１０５】
厨房の料理人や接客係は、このオーダー音声を聴取することにより、オーダーされた料理や飲み物を知得し、当該オーダーされた料理や飲み物を用意して、浮揚移動台１の載置台９に載せるようにする。
【０１０６】
なお、オーダーは音声に限るものではない。例えば浮揚移動台１に表示画面を持たせ、各種の料理や飲み物を表示させ、その中からタッチ操作などで選択することで、オーダーできるようにしてもよい。
【０１０７】
制御部１０１は、カメラＣＭ１の撮像画像情報や重量センサ１０８の検出出力を参照することで、載置台９に料理や飲み物が追加載置されたか否か判別する（ステップＳ１４４）。そして、ステップＳ１４４で、載置台９に料理や飲み物が追加載置されてはいないと判別したときには、制御部１０１は、載置台９に料理や飲み物が追加載置されるのを待ち、ステップＳ１４４で、載置台９に料理や飲み物が追加載置されたと判別したときには、載置台９に載置された物品の重量が、搬送可能な重量を超えている状態、すなわち、重量オーバーであるか否か判別する（ステップＳ１４５）。
【０１０８】
ステップＳ１４５で、重量オーバーであると判別したときには、制御部１０１は、「重量オーバーです。料理や飲み物を減らして下さい」などのアラーム音声メッセージを、音声メッセージ記憶部１２０から読み出して、それをスピーカ１２１から放音してアラーム報知をする（ステップＳ１４６）。次に、制御部１０１は、アラーム報知に対応して載置台９に載置された、提供する料理や飲み物などの物品が減らされたか否か判別し（ステップＳ１４７）、減らされていないと判別したときには、処理をステップＳ１４６に戻して、アラーム報知を継続する。ステップＳ１４７で、提供する料理や飲み物などの物品が減らされたと判別したときには、制御部１０１は、更に、重量オーバーであるか否か判別し、重量オーバーであれば、処理をステップＳ１４６に戻して、アラーム報知を継続し、重量オーバーでなくなったと判別したときには、アラーム報知を停止する（ステップＳ１４９）。
【０１０９】
ステップＳ１４９でアラーム報知を停止した後、あるいは、ステップＳ１４５で、重量オーバーでないと判別したときには、制御部１０１は、画像メモリ１１４Ｍ及び音声メモリ１１７Ｍに記憶されている位置情報に基づいて、浮揚移動台１をオーダー音声を発した人のところへ移動して、その人の傍らでホバーリングするように制御する（ステップＳ１５０）。この時、制御部１０１は、画像メモリ１１４Ｍに記憶されているオーダー音声を発した人の顔画像を用いて、オーダー音声を発した人を認識し、その認識した人の傍らでホバーリングするように制御する。このステップＳ１５０の次には、制御部１０１は、処理を図５のステップＳ１２２に移行させ、このステップＳ１２２以降の処理を繰り返すようにする。なお、この時のステップＳ２２では、「オーダーされた料理や飲み物をお持ちしました。」などの音声メッセージを、音声メッセージ記憶部１２０から読み出して、スピーカ１２１から放音させるようにすることもできる。
【０１１０】
次に、図３のステップＳ１０３で、設定されたモードが回収モードであると判別したときには、制御部１０１は、載置台９に物品（皿やグラスなどの容器）が載置されているか否か判別し（図７のステップＳ１６１）、物品が載置されていると判別したときには、「載っている容器を下ろして下さい」などのアラーム音声メッセージを、音声メッセージ記憶部１２０から読み出して、それを音声放音処理部１０９を通じてスピーカ１２１から放音してアラーム報知をする（ステップＳ１６２）。
【０１１１】
そして、制御部１０１は、載置台９に何も載っていない状態になったか否かを、カメラＣＭ１の撮影画像情報や重量センサ１０８の検知出力を参照して判別する（ステップＳ１６３）。そして、制御部１０１は、このステップＳ１６３で、載置台９に何も載っていない状態になってはいないと判別したときには、処理をステップＳ１６２に戻して、アラーム報知を継続し、載置台９に何も載っていない状態になったと判別したときには、アラーム報知を停止する（ステップＳ１６４）。
【０１１２】
ステップＳ１６４でアラーム報知を停止した後、あるいはステップＳ１６１で、載置台９には物品が載置されてはいないと判別したときには、制御部１０１は、浮揚移動台１を、障害物を避けながら、予め定められた経路を、所定の速度で空中移動させるように制御する（ステップＳ１６５）。
【０１１３】
そして、制御部１０１は、カメラＣＭ２〜ＣＭ６の撮影画像情報を解析し、画像認識部１１４の機能により画像認識を行い、また、無指向性マイクロフォンＭＣで収音した音声を音声認識部１１５で音声認識を行い（ステップＳ１６６）、回収モードの浮揚移動台１が赴くべき状況が発生しているか否か判別する（ステップＳ１６７）。前述したように、ステップＳ１６７における赴くべき状況が発生しているか否かは、立食パーティーの参加者が、空いた皿やグラスなどの容器を片付けさせるために浮揚移動台１を呼び寄せる所作をしていることや、立食パーティーの参加者や接客係の近傍にある皿やグラスなどの容器が空になっているかどうかを、カメラＣＭ２〜ＣＭ６の撮影画像情報の画像認識や解析から判断する。
【０１１４】
このステップＳ１６７で、赴くべき状況が発生していないと判別したときには、制御部１０１は、処理をステップＳ１６５に戻して、浮揚移動台１を、障害物を避けながら、予め定められた経路を、所定の速度で空中移動させる状態を継続するようにする。
【０１１５】
ステップＳ１６７で、赴くべき状況が発生していると判別したときには、制御部１０１は、浮揚移動台１を、赴くべき状況が発生している場所の近傍に居る人あるいは呼び寄せる所作や探す所作をした人の傍らに移動させて、ホバーリングさせるようにする（ステップＳ１６８）（図１１（Ｂ）参照）。
【０１１６】
そして、制御部１０１は、このホバーリング状態において、図１１（Ｂ）に示すように、「空いている容器をお下げしますので、載置台に載せて下さい」などの、空き容器の回収を行うことを報知する音声メッセージを、音声メッセージ記憶部１２０から読み出し、それをスピーカ１２１から放音させるようにする（ステップＳ１６９）。
【０１１７】
次に、制御部１０１は、物品、この例では、空き容器が載置台９に載置されたか否かを、カメラＣＭ１〜ＣＭ５の撮影画像情報に基づいて判別する（図８のステップＳ１７１）。このステップＳ１７１で、空き容器が載置されたと判別したときには、載置台９に載置されている空き容器の総重量を重量センサ１０８により検知し（ステップＳ１７２）、総重量が予め定められている閾値を超えたか否か判別する（ステップＳ１７３）。この場合、空き容器の回収モードにおける重量の閾値は、比較的低めに設定されている。これは、空き容器を立食パーティーの参加者が載せたときに、重量オーバーとなってしまうと、空き容器を下ろしてもらわなければならなくなる事態を避けるためである。
【０１１８】
ステップＳ１７３で、総重量が閾値を超えてはいないと判別したときには、制御部１０１は、ホバーリングしている場所の近傍に居る人による立ち去り許可の所作や音声を検知したか否か判別し（ステップＳ１７４）、立ち去り許可の所作や音声を検知したと判別したときには、処理を図７のステップＳ１６５に戻して、定められている経路に従った空中移動を再開する。
【０１１９】
ステップＳ１７４で、立ち去り許可の所作や音声を検知しなかったと判別したときには、制御部１０１は、ホバーリングしている状態において、人による浮揚移動台１に対するアクションが何もない状態が所定時間以上継続したか否か判別する（ステップＳ１７５）。そして、ステップＳ１７５で、人による浮揚移動台１に対するアクションが何もない状態が所定時間以上継続したと判別したときには、処理を図７のステップＳ１６５に戻して、定められている経路に従った空中移動を再開し、所定時間以上は経過していないと判別したときには、処理をステップＳ１７１に戻し、このステップＳ１７１以降の処理を繰り返す。
【０１２０】
また、ステップＳ１７３で、載置台９に載置されている空き容器の総重量が閾値を超えたと判別したときには、制御部１０１は、図１２（Ｂ）に示すように、浮揚移動台１を食器の洗い場へ移動させるようにする制御する（ステップＳ１７６）。このステップＳ１７６の次には、制御部１０１は、処理を図７のステップＳ１６１に戻し、このステップＳ１６１以降の処理を繰り返す。
【０１２１】
なお、上述の説明では、回収モードにおいては、立食パーティーの参加者からの提供サービス要求、すなわち、料理や飲み物のオーダーは受けないようにしたが、この回収モードにおいても、立食パーティーの参加者からの提供サービス要求、すなわち、料理や飲み物のオーダーを、提供モードと同様にして受けることができるようにしてもよい。
【０１２２】
その場合には、浮揚移動台１は、浮揚移動台１を食器の洗い場へ移動させた後、厨房に移動して、オーダー音声を再生するようにする。そして、オーダーされた料理や飲み物を、オーダーをした立食パーティーの参加者に届けた後、浮揚移動台１は、回収モードに戻り、空き容器の回収のための移動に移るようにする。
【０１２３】
なお、浮揚移動台１は、回収モードのときには、図９に示したようなテーブルＴＢ１〜ＴＢ６を巡回するような移動経路で移動するのではなく、パーティー会場の上空において、テーブルＴＢ１〜ＴＢ６上の状況をカメラで撮影することができるように、直線的に移動するようにし、必要に応じて、空いている容器の近傍のパーティー参加者や接客係の傍らに移動するようにしてもよい。
【０１２４】
また、上述の説明では、ステップ１１６、ステップ１２５、ステップ１２９における物品の総数Ｍや、ステップ１２４、ステップ１２５における物品の個数Ｎは物品の種類によらずカウントしたが、料理（皿）と飲み物（グラス）を分けてカウントしてもよいし、さらに料理の種類別、飲み物の種類別にカウントすることもできる。もちろん、料理専用の浮揚移動台１や飲み物専用の浮揚移動台１があってもよい。この場合は、当然料理（皿）と飲み物（グラス）を分けてカウントする必要はない。
【０１２５】
［実施形態の効果］
以上のようにして、上述の実施形態の浮揚移動台１によれば、料理や飲み物を載置台９に載置して、パーティー会場内を移動して、パーティー参加者に呈示するようにする。したがって、料理や飲み物を所定の場所に並べておく必要がないので、そのスペースは不要となる。
【０１２６】
そして、浮揚移動台１は、パーティー参加者の傍を通過するようにするため、パーティー参加者は、移動中の浮揚移動台１の載置台９に載置されている物品を、その場で、容易に確認することができる。更に、パーティー参加者や接客係は、呼び寄せる所作や探す所作をすること等で、浮揚移動台１を呼び寄せることができ、その場合には、浮揚移動台１は、呼び寄せたパーティー参加者や接客係の傍らでホバーリングするので、載置台９に載置されている物品を取り上げたり、載置台９に回収される物品を載せたりすることが容易にできる。
【０１２７】
したがって、パーティー参加者は、料理や飲み物を欲する場合であっても、従来のように料理や飲み物が並べられているテーブル等に赴く必要がない。また、空の容器や食べ残したままの容器が、片付けられず残っていて、目障りになる状況も改善される。また、上述の実施形態においては、パーティー参加者は、浮揚移動台１に対して、載置台９に載置されていない料理や飲み物を音声でオーダーすることができ、非常に便利である。
【０１２８】
また、パーティー運営者は、浮揚移動台１を用意するだけで、パーティー会場に回転テーブルやベルトコンベアーなどを設置する必要はない。また、料理や飲み物も、厨房で調理して用意したものを、浮揚移動台１に載置してパーティー参加者に提供することができるので、温かいものは温かい状態を保って、冷たいものは冷たい状態を保って、提供することが可能となる。
【０１２９】
［実施形態の浮揚移動台１の他の利用態様の例］
以上は、この発明の浮揚移動台を、立食パーティーにおいて利用した態様についての説明であるが、この発明の浮揚移動台は、その他種々の利用態様に適用可能である。
【０１３０】
図１３は、洋服店の利用態様を示したものである。この例においては、浮揚移動台１の載置台９には、特におすすめの商品を予め載せて用意しておき、店内の所定の場所に着陸状態としておく。そして、お客様２０１Ｄが来店したら、浮揚移動台１は、そのお客様２０１Ｄの傍らに移動してホバーリングすることで、おすすめの商品を見せる。複数のお客様がいるときには、それら複数のお客様に、おすすめの商品を見せて回る。お客様が興味を示して、停止を意味する所作や音声を発したらそのお客様の傍らでホバーリングする。
【０１３１】
また、お客様の手が届かない高さの位置に商品を展示する場合には、浮揚移動台１の載置台９の上に、その商品を載置して展示するようにする。お客様が、その商品を、手元で見てみたいと要求したときには、浮揚移動台１は、そのお客様の傍らに来てホバーリングして、商品をお客様に呈示するようにすることもできる。
【０１３２】
もちろん、店員は、呼び寄せる所作等で、浮揚移動台１を呼び寄せることができる。その場合には、浮揚移動台１は、呼び寄せた店員の傍らでホバーリングする。
【０１３３】
この利用態様は、洋服店に限らず、化粧品店、薬局、貴金属店など様々な店舗、多様な商品にも適用可能である。
【０１３４】
なお、浮揚移動台１は、子供にとって危険な、薬やアルコール飲料などを手に取ることがないよう、お客様が大人か子供かを画像認識し、子供と認識した場合は、子供の手が届かない高さ位置に留まるように制御することができる。
【０１３５】
［その他の実施形態又は変形例］
上述の実施形態では、浮揚移動台の筐体及び載置台は、全体として箱型の形状に構成されていたが、これに限らず、各々円筒型の形状や半球型の形状などの種々の形状とすることができる。また、載置台の大きさは回転翼機構の外側部と略同一の大きさで構成されていたが、これに限らず、回転翼機構の外側部より小さいものや大きいものでもよい。さらに載置台を交換可能にし、用途に応じて適切な載置台を用いることもできる。
【０１３６】
また、上述の実施形態では、載置台は、籠の底面及び側面がメッシュ状に孔が形成されたものとされていたが、これに限らず、回転翼の回転により生じる空気の流れに影響が少ない構成であればよい。
【０１３７】
また、回転翼の回転により生じる空気の流れに影響が少ないように、回転翼と載置台９との間の距離が大きい場合には、載置台９は、メッシュ状に孔が形成されているものを使用する必要はなく、例えば透明板等により構成されていてもよい。
【０１３８】
さらに、上述の実施形態では、載置台は浮揚移動台の上部に設けられていたが、下部にぶら下げる形にすることもできる。その場合には、載置台９の存在が、回転翼の回転により生じる空気の流れに影響を与えることが少なくなるので、載置台９は、メッシュ状に孔が形成されているものを使用する必要はなく、例えば透明板等により構成されていてもよい。
【０１３９】
また、載置台９の物品が載置される面は、上述の実施形態では、平面状となっている場合としてが、載置台９の物品が載置される面に、料理や飲み物の容器が嵌合あるいは係合する凹部や孔を形成しておき、当該凹部や孔に容器が置かれることで、料理や飲み物がこぼれたりしないように安定化することができるように構成してもよい。
【０１４０】
また、上述の実施形態では、ホバーリングの高さ位置を決定する際に、人の特定の身体的部位として、下顎の位置を基準にしたが、下顎に限らず、肩の位置や目、耳、鼻、口の位置、肘の位置などを基準にしてもよい。さらに、人の身体的部位に限らず、人が着ている洋服の襟、第一ボタン、胸ポケットなどの特定の箇所の位置を基準にすることもできる。また、人が身につけているピアスやイヤリング、ネックレスのペンダントトップ、ブローチなどの装身具の位置を基準にすることもできる。会社のパーティーでは、社員証やＩＤカード、一般のパーティーでは、名札を身につけることがある。これらの社員証やＩＤカード、名札の位置を基準にしてもよい。もちろん、これらの基準とする位置を、浮揚移動台に、事前に登録できるようにしてもよい。
【０１４１】
さらに、人が車椅子などの移動体を利用している場合、着座している車椅子のアームの位置は、人に関連して位置が定まるので、この車椅子のアームの位置をホバーリングの高さ位置を決定する際の基準とすることができる。歩行などが困難で車椅子を利用している人にとって、浮揚移動台が呼び寄せる所作等で、車椅子の傍にホバーリングしてくれることは極めて便利であり、立食パーティーなどにも安心して参加できる。
【０１４２】
また、上述の実施形態では、空中飛行機構部２は、４個の回転翼機構を有するヘリコプター型の機構部の例で説明したが、回転翼機構の数は３個以下でも５個以上でもよい。さらに、ヘリコプター型の機構部に限らず、飛行機型の機構部など、ホバーリングが可能な機構部であれば適用可能である。
【０１４３】
また、上述の実施形態では、カメラの数は６個、マイクロフォンは無指向性マイクロフォンの１個であったが、数が限定されないことはもちろんである。また、カメラやマイクロフォンを設ける位置も種々考えられる。さらに、マイクロフォンは無指向性マイクロフォンに限定されることなく、指向性マイクロフォンを用いて特定の人や方向などの声や音を収音してもよい。カメラについても、標準的なカメラでもよいし、広角カメラ、魚眼カメラ、３６０度カメラでもよい。また、接写カメラ、望遠カメラ、赤外線カメラなどであってもよい。もちろん、これらのカメラを併用してもよい。
【０１４４】
さらに、ジャイロセンサ、地磁気センサ、重力センサ、高度センサ、障害物センサ、重量センサについても、複数個あってもよいことはもちろんである。
【０１４５】
上述の実施形態では、人の傍らに赴くべき状況の判別に、カメラやマイクロフォンを利用する方法を説明したが、これに限らず、放射温度計などの温度センサ、においセンサ、触覚センサなど、その他のセンサを利用したり、併用したりしてもよい。例えば、温度センサで、人が飲食している、あるいは人の傍らにある、温製の料理や温かい飲み物が冷めているか否か、また、冷製の料理や冷たい飲み物が温まっているか否か計測し、肯定的な計測結果の場合は、人の傍らに赴くべき状況であると判別することができる。なお、温度状況の計測は、赤外線カメラで行うこともできる。また、通常のカメラの場合は、湯気の有無、氷の溶け具合（有無）、アイスクリームやシャーベットの溶け具合などを撮影画像情報から画像認識して、人の傍らに赴くべき状況か否かの判別を行うことができる。
【０１４６】
なお、上述の実施形態では、空中飛行駆動制御等は、載置される物品の種類に関係なく行うようにしたが、載置される物品の種類を判別し、その判別結果に応じた空中飛行駆動制御等を行うようにしてもよい。例えば、ビール、ワイン、ジュース、水など液体物が入っているグラスを載置して移動する場合は、液体物であることをカメラなどで認識し、振動を抑えるため加減速が少なくなるよう空中飛行駆動制御するようにする。さらに、液体物の場合、グラスのどのあたりまで満たされているかを、重量センサやカメラなどで認識し、分量が多いほど振動の少ない空中飛行駆動制御をするようにしてもよい。
【０１４７】
なお、浮揚移動台は、赴くべき状況が発生している場所の近傍に居る人あるいは呼び寄せる所作や探す所作をした人の傍らでホバーリングすることが、スペースや障害物あるいはバッテリーの問題などで困難な場合には、制御部等がその状況を判断し、近くのテーブルなどに着陸させるようにすることができる。
【０１４８】
その他、浮揚移動台は、その機構上、種々の変形例が考えられることはもちろんである。
【符号の説明】
【０１４９】
１…浮揚移動台、２…空中飛行機構部、３…駆動制御ユニット、６…筐体、９…載置台、１０…駆動制御装置部、１０１…制御部、ＣＭ１〜ＣＭ６…カメラ
【図１】
2019202770.tif 000003
【図２】
2019202770.tif 000004
【図３】
2019202770.tif 000005
【図４】
2019202770.tif 000006
【図５】
2019202770.tif 000007
【図６】
2019202770.tif 000008
【図７】
2019202770.tif 000009
【図８】
2019202770.tif 000010
【図９】
2019202770.tif 000011
【図１０】
2019202770.tif 000012
【図１１】
2019202770.tif 000013
【図１２】
2019202770.tif 000014
【図１３】
2019202770.tif 000015